(57)【要約】      （修正有）【課題】美観性と機動性を高めた埋め込み式創意掛け時計を提供する。【解決手段】壁主体１０を含み、壁主体１０の中には昇降チャンバ１１が設置され、収縮溝１３の中には閉鎖ブロック１５がスライドできるように設置され、閉鎖ブロック１５の中には左右に貫通している連通チャンバ１７が設置され、連通チャンバ１７の中には透明状のガラス板１８が固定的に設置され、昇降チャンバ１１の右側には駆動装置１００が設置され、昇降ブロック１２が駆動装置１００と噛み合うように連結され、初期状態の時、掛け時計２３が壁主体１０の中に埋め込まれ、占めるスペースを減らし、掛け時計２３に埃がたまることを防止し、モーターが作動する時、掛け時計２３を壁の外部に押し出し、掛け時計２３が壁主体１０の外面にかけるように設置される。【選択図】図１
2020177005.tif 000002
【特許請求の範囲】
【請求項１】
正面視で、壁主体を含み、前記壁主体の中には昇降チャンバが設置され、前記昇降チャンバと外部空間との間には連通孔が連通するように設置され、前記昇降チャンバの中には昇降ブロックがスライドできるように設置され、前記昇降ブロックの中には収縮溝が設置され、前記収縮溝と前記昇降チャンバとの間には連通溝が連通するように設置され、前記収縮溝の中には左端面が前記連通孔の中に伸びており、且つ前記壁主体の左端面と水平になる閉鎖ブロックがスライドできるように設置され、前記閉鎖ブロックには第一復帰構成部品が上下対称的に、且つ固定的に設置され、前記閉鎖ブロックの中には左右に貫通している連通チャンバが設置され、前記連通チャンバの中には透明状のガラス板が固定的に設置され、前記昇降チャンバには昇降スライド溝が前後対称的に、且つ連通するように設置され、前記昇降ブロックには前記昇降スライド溝とスライドできるように連結された昇降スライダが前後対称的に固定的に設置され、前記昇降スライダと前記昇降スライド溝との間には伸縮ばねが固定的に設置され，前記昇降チャンバの右側には駆動装置が設置され、前記昇降ブロックが前記駆動装置と噛み合うように連結され、前記昇降チャンバの右側には移動溝が連通するように設置され、前記移動溝の中には移動ブロックがスライドできるように設置され、前記移動ブロックの中には置き溝が設置され、前記置き溝の中には掛け時計が埋め込むように置かれ、前記移動溝の右側には推しチャンバが連通するように設置され、前記推しチャンバの中には前記移動ブロックと固定的に連結されたラックがスライドできるように設置され、前記ラックの上端面が前記駆動装置と噛み合うように連結され、前記推しチャンバの下側にはガイドスライド溝が連通するように設置され、前記ラックの下端面には前記ガイドスライド溝とスライドできるように連結されたガイドスライドブロックが固定的に設置され、前記移動溝の上側には前記昇降チャンバに連通している押し溝が設置され、前記押し溝の中には左端が前記昇降チャンバの中に伸びている押しロッドがスライドできるように設置され、前記押しロッドの中には当接溝が設置され、前記当接溝が前記駆動装置に当接し、前記押しロッドと前記押し溝との間には押しばねが固定的に設置され、前記駆動装置が作動して前記昇降ブロックを上昇させ、前記移動ブロックが前記掛け時計を連動させて前記壁主体から押し出すことを特徴とする埋め込み式創意掛け時計。
【請求項２】
前記駆動装置は前記昇降チャンバと連通している噛み合いチャンバを含み、前記噛み合いチャンバの中には前記昇降ブロックと噛み合っている噛み合いギヤが回転できるように設置され、前記噛み合いギヤの前端面には第一ベベルギヤが固定的に設置され、前記噛み合いチャンバの中にはギヤ軸により前記第一ベベルギヤと噛み合っている第二ベベルギヤが回転できるように設置され、前記噛み合いチャンバの上側にはベルトチャンバが連通するように設置され、前記ベルトチャンバの上端壁にはモーターが固定的に設置され、前記ギヤ軸の上端が前記モーターと動力が伝達できるように連結され、前記ベルトチャンバの中にある前記ギヤ軸にはベルトプーリが固定的に設置され、前記モーターの右側には伝動装置が設置され、前記ベルトプーリと前記伝動装置との間はベルトにより動力が伝達できるように連結され、前記モーターが作動して前記噛み合いギヤを回転させ、これにより前記昇降ブロックが昇降することを特徴とする請求項１に記載の埋め込み式創意掛け時計。
【請求項３】
前記伝動装置は前記ベルトチャンバの中に回転できるように設置された回転輪を含み、前記回転輪と前記ベルトプーリとの間は前記ベルトにより動力が伝達できるように連結され、前記回転輪の中には上下に貫通しているスプライン溝が設置され、前記ベルトチャンバの上側には圧しチャンバが連通するように設置され、前記圧しチャンバの中には圧しブロックがスライドできるように設置され、前記圧しブロックの中には下端が前記ベルトチャンバの中に伸びているスプラインスリーブが回転できるように設置され、前記圧しブロックと前記圧しチャンバとの間には圧縮ばねが固定的に設置され、前記圧しブロックの上端面には圧しロッドが固定的に設置され、前記圧しチャンバが前記押し溝と連通しており、前記圧しロッドの上端が前記押し溝の中に伸びており、且つ前記当接溝に当接しており、前記圧しロッドの右端面には第二復帰構成部品が固定的に設置され、前記ベルトチャンバと前記推しチャンバとの間には伝動溝が連通するように設置され、前記伝動溝の中にはスプライン軸により第三ベベルギヤが回転できるように設置され、前記スプライン軸の上端が前記スプライン溝の中に伸びて前記スプラインスリーブとスプラインにより連結でき、前記第三ベベルギヤの後端には第四ベベルギヤが噛み合うように連結され、前記第四ベベルギヤの後端面には前記ラックと噛み合っている伝動ギヤが固定的に設置され、前記スプラインスリーブが前記スプライン軸と前記回転輪とスプラインにより連結する時、前記モーターが作動して前記ラックを水平に移動させることを特徴とする請求項２に記載の埋め込み式創意掛け時計。
【発明の詳細な説明】
【技術分野】
【０００１】
本発明は生活用品技術分野を取り上げて、具体的には埋め込み式創意掛け時計である。
【背景技術】
【０００２】
現有の掛け時計は大体室内の壁に掛けられ、埃がたまりやすく、掛け時計の使用寿命を縮め、しかも掛け時計の角を掃除しにくく、また、掛け時計が壁の外部に突き出、室内のスペースを占め、大型家具を搬送するとき、家具が掛け時計にぶつかりやすいので、手動で掛け時計を取り外す必要がある。
そのため、現有技術の中の掛け時計を更に改善する必要があり、これにより掛け時計の美観性と機動性を高める。
【先行技術文献】
【特許文献】
【０００３】
【特許文献１】中国特許出願公開第１０３１３５４３１号明細書
【発明の概要】
【発明が解決しようとする課題】
【０００４】
本発明は埋め込み式創意掛け時計を提供し、従来技術における上記欠点を解消することを目的とする。
【課題を解決するための手段】
【０００５】
本発明の実施例の埋め込み式創意掛け時計は、壁主体を含み、前記壁主体の中には昇降チャンバが設置され、前記昇降チャンバと外部空間との間には連通孔が連通するように設置され、前記昇降チャンバの中には昇降ブロックがスライドできるように設置され、前記昇降ブロックの中には収縮溝が設置され、前記収縮溝と前記昇降チャンバとの間には連通溝が連通するように設置され、前記収縮溝の中には左端面が前記連通孔の中に伸びており、且つ前記壁主体の左端面と水平になる閉鎖ブロックがスライドできるように設置され、前記閉鎖ブロックには第一復帰構成部品が上下対称的に、且つ固定的に設置され、前記閉鎖ブロックの中には左右に貫通している連通チャンバが設置され、前記連通チャンバの中には透明状のガラス板が固定的に設置され、前記昇降チャンバには昇降スライド溝が前後対称的に、且つ連通するように設置され、前記昇降ブロックには前記昇降スライド溝とスライドできるように連結された昇降スライダが前後対称的に固定的に設置され、前記昇降スライダと前記昇降スライド溝との間には伸縮ばねが固定的に設置され，前記昇降チャンバの右側には駆動装置が設置され、前記昇降ブロックが前記駆動装置と噛み合うように連結され、前記昇降チャンバの右側には移動溝が連通するように設置され、前記移動溝の中には移動ブロックがスライドできるように設置され、前記移動ブロックの中には置き溝が設置され、前記置き溝の中には掛け時計が埋め込むように置かれ、前記移動溝の右側には推しチャンバが連通するように設置され、前記推しチャンバの中には前記移動ブロックと固定的に連結されたラックがスライドできるように設置され、前記ラックの上端面が前記駆動装置と噛み合うように連結され、前記推しチャンバの下側にはガイドスライド溝が連通するように設置され、前記ラックの下端面には前記ガイドスライド溝とスライドできるように連結されたガイドスライドブロックが固定的に設置され、前記移動溝の上側には前記昇降チャンバに連通している押し溝が設置され、前記押し溝の中には左端が前記昇降チャンバの中に伸びている押しロッドがスライドできるように設置され、前記押しロッドの中には当接溝が設置され、前記当接溝が前記駆動装置に当接し、前記押しロッドと前記押し溝との間には押しばねが固定的に設置され、前記駆動装置が作動して前記昇降ブロックを上昇させ、前記移動ブロックが前記掛け時計を連動させて前記壁主体から押し出す。
【０００６】
更の技術プランとしては、前記駆動装置は前記昇降チャンバと連通している噛み合いチャンバを含み、前記噛み合いチャンバの中には前記昇降ブロックと噛み合っている噛み合いギヤが回転できるように設置され、前記噛み合いギヤの前端面には第一ベベルギヤが固定的に設置され、前記噛み合いチャンバの中にはギヤ軸により前記第一ベベルギヤと噛み合っている第二ベベルギヤが回転できるように設置され、前記噛み合いチャンバの上側にはベルトチャンバが連通するように設置され、前記ベルトチャンバの上端壁にはモーターが固定的に設置され、前記ギヤ軸の上端が前記モーターと動力が伝達できるように連結され、前記ベルトチャンバの中にある前記ギヤ軸にはベルトプーリが固定的に設置され、前記モーターの右側には伝動装置が設置され、前記ベルトプーリと前記伝動装置との間はベルトにより動力が伝達できるように連結され、前記モーターが作動して前記噛み合いギヤを回転させ、これにより前記昇降ブロックが昇降する。
【０００７】
更の技術プランとしては、前記伝動装置は前記ベルトチャンバの中に回転できるように設置された回転輪を含み、前記回転輪と前記ベルトプーリとの間は前記ベルトにより動力が伝達できるように連結され、前記回転輪の中には上下に貫通しているスプライン溝が設置され、前記ベルトチャンバの上側には圧しチャンバが連通するように設置され、前記圧しチャンバの中には圧しブロックがスライドできるように設置され、前記圧しブロックの中には下端が前記ベルトチャンバの中に伸びているスプラインスリーブが回転できるように設置され、前記圧しブロックと前記圧しチャンバとの間には圧縮ばねが固定的に設置され、前記圧しブロックの上端面には圧しロッドが固定的に設置され、前記圧しチャンバが前記押し溝と連通しており、前記圧しロッドの上端が前記押し溝の中に伸びており、且つ前記当接溝に当接しており、前記圧しロッドの右端面には第二復帰構成部品が固定的に設置され、前記ベルトチャンバと前記推しチャンバとの間には伝動溝が連通するように設置され、前記伝動溝の中にはスプライン軸により第三ベベルギヤが回転できるように設置され、前記スプライン軸の上端が前記スプライン溝の中に伸びて前記スプラインスリーブとスプラインにより連結でき、前記第三ベベルギヤの後端には第四ベベルギヤが噛み合うように連結され、前記第四ベベルギヤの後端面には前記ラックと噛み合っている伝動ギヤが固定的に設置され、前記スプラインスリーブが前記スプライン軸と前記回転輪とスプラインにより連結する時、前記モーターが作動して前記ラックを水平に移動させる。
【発明の効果】
【０００８】
本発明の有益効果は：本発明は構造が簡単で、操作が便利であり、初期状態の時、掛け時計が壁の中に埋め込まれ、占めるスペースを減らし、掛け時計に埃がたまることを防止し、モーターが作動する時、掛け時計を壁の外部に押し出し、掛け時計が壁の外面にかけるように設置されることになり、メンテナンスと掛け時計の取り替えに便利を与え、この掛け時計は機動性が高くてもっと綺麗である。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は埋め込み式創意掛け時計の内部全体構成模式図
【図２】図２は本発明の図１の「Ａ−Ａ」の拡大構成模式図
【図３】図３は本発明の図１の「Ｂ」の拡大構成模式図
【発明を実施するための形態】
【００１１】
図１〜３を参照し、本発明の実施例の埋め込み式創意掛け時計は、壁主体１０を含み、前記壁主体１０の中には昇降チャンバ１１が設置され、前記昇降チャンバ１１と外部空間との間には連通孔１４が連通するように設置され、前記昇降チャンバ１１の中には昇降ブロック１２がスライドできるように設置され、前記昇降ブロック１２の中には収縮溝１３が設置され、前記収縮溝１３と前記昇降チャンバ１１との間には連通溝１９が連通するように設置され、前記収縮溝１３の中には左端面が前記連通孔１４の中に伸びており、且つ前記壁主体１０の左端面と水平になる閉鎖ブロック１５がスライドできるように設置され、前記閉鎖ブロック１５には第一復帰構成部品１６が上下対称的に、且つ固定的に設置され、前記閉鎖ブロック１５の中には左右に貫通している連通チャンバ１７が設置され、前記連通チャンバ１７の中には透明状のガラス板１８が固定的に設置され、前記昇降チャンバ１１には昇降スライド溝５５が前後対称的に、且つ連通するように設置され、前記昇降ブロック１２には前記昇降スライド溝５５とスライドできるように連結された昇降スライダ５６が前後対称的に固定的に設置され、前記昇降スライダ５６と前記昇降スライド溝５５との間には伸縮ばね５７が固定的に設置され，前記昇降チャンバ１１の右側には駆動装置１００が設置され、前記昇降ブロック１２が前記駆動装置１００と噛み合うように連結され、前記昇降チャンバ１１の右側には移動溝２０が連通するように設置され、前記移動溝２０の中には移動ブロック２１がスライドできるように設置され、前記移動ブロック２１の中には置き溝２２が設置され、前記置き溝２２の中には掛け時計２３が埋め込むように置かれ、前記移動溝２０の右側には推しチャンバ２４が連通するように設置され、前記推しチャンバ２４の中には前記移動ブロック２１と固定的に連結されたラック２５がスライドできるように設置され、前記ラック２５の上端面が前記駆動装置１００と噛み合うように連結され、前記推しチャンバ２４の下側にはガイドスライド溝２６が連通するように設置され、前記ラック２５の下端面には前記ガイドスライド溝２６とスライドできるように連結されたガイドスライドブロック２７が固定的に設置され、前記移動溝２０の上側には前記昇降チャンバ１１に連通している押し溝４６が設置され、前記押し溝４６の中には左端が前記昇降チャンバ１１の中に伸びている押しロッド４７がスライドできるように設置され、前記押しロッド４７の中には当接溝４８が設置され、前記当接溝４８が前記駆動装置１００に当接し、前記押しロッド４７と前記押し溝４６との間には押しばね４９が固定的に設置され、前記駆動装置１００が作動して前記昇降ブロック１２を上昇させ、前記移動ブロック２１が前記掛け時計２３を連動させて前記壁主体１０から押し出す。
【００１２】
有益なまた例を示すように、前記駆動装置１００は前記昇降チャンバ１１と連通している噛み合いチャンバ２８を含み、前記噛み合いチャンバ２８の中には前記昇降ブロック１２と噛み合っている噛み合いギヤ２９が回転できるように設置され、前記噛み合いギヤ２９の前端面には第一ベベルギヤ３０が固定的に設置され、前記噛み合いチャンバ２８の中にはギヤ軸３２により前記第一ベベルギヤ３０と噛み合っている第二ベベルギヤ３１が回転できるように設置され、前記噛み合いチャンバ２８の上側にはベルトチャンバ３３が連通するように設置され、前記ベルトチャンバ３３の上端壁にはモーター３４が固定的に設置され、前記ギヤ軸３２の上端が前記モーター３４と動力が伝達できるように連結され、前記ベルトチャンバ３３の中にある前記ギヤ軸３２にはベルトプーリ３５が固定的に設置され、前記モーター３４の右側には伝動装置２００が設置され、前記ベルトプーリ３５と前記伝動装置２００との間はベルト４３により動力が伝達できるように連結され、前記モーター３４が作動して前記噛み合いギヤ２９を回転させ、これにより前記昇降ブロック１２が昇降する。
【００１３】
有益なまた例を示すように、前記伝動装置２００は前記ベルトチャンバ３３の中に回転できるように設置された回転輪３６を含み、前記回転輪３６と前記ベルトプーリ３５との間は前記ベルト４３により動力が伝達できるように連結され、前記回転輪３６の中には上下に貫通しているスプライン溝３７が設置され、前記ベルトチャンバ３３の上側には圧しチャンバ３８が連通するように設置され、前記圧しチャンバ３８の中には圧しブロック３９がスライドできるように設置され、前記圧しブロック３９の中には下端が前記ベルトチャンバ３３の中に伸びているスプラインスリーブ４０が回転できるように設置され、前記圧しブロック３９と前記圧しチャンバ３８との間には圧縮ばね４１が固定的に設置され、前記圧しブロック３９の上端面には圧しロッド４２が固定的に設置され、前記圧しチャンバ３８が前記押し溝４６と連通しており、前記圧しロッド４２の上端が前記押し溝４６の中に伸びており、且つ前記当接溝４８に当接しており、前記圧しロッド４２の右端面には第二復帰構成部品４５が固定的に設置され、前記ベルトチャンバ３３と前記推しチャンバ２４との間には伝動溝５１が連通するように設置され、前記伝動溝５１の中にはスプライン軸５０により第三ベベルギヤ５２が回転できるように設置され、前記スプライン軸５０の上端が前記スプライン溝３７の中に伸びて前記スプラインスリーブ４０とスプラインにより連結でき、前記第三ベベルギヤ５２の後端には第四ベベルギヤ５３が噛み合うように連結され、前記第四ベベルギヤ５３の後端面には前記ラック２５と噛み合っている伝動ギヤ５４が固定的に設置され、前記スプラインスリーブ４０が前記スプライン軸５０と前記回転輪３６とスプラインにより連結する時、前記モーター３４が作動して前記ラック２５を水平に移動させる。
【００１４】
初期状態において、スプラインスリーブ４０がスプライン軸５０と回転輪３６と連結していなく、閉鎖ブロック１５が昇降チャンバ１１を閉鎖し、掛け時計２３が移動溝２０の中に位置している。
【００１５】
装置を始動する時、ガラス板１８を通して掛け時計２３の時間が直接見え、掛け時計２３を壁主体１０の外部に張り出す時、モーター３４が作動し、第二ベベルギヤ３１を駆動して回転させ、噛み合いギヤ２９を連動させて時計回りに回転させ、これにより昇降ブロック１２が上昇し、閉鎖ブロック１５が収縮溝１３の中に収縮され、昇降チャンバ１１を開け、昇降ブロック１２が押しロッド４７を推し動かして右方へ移動させ、圧しロッド４２が下降して圧しブロック３９を連動させて下降させ、これによりスプラインスリーブ４０がスプライン軸５０と回転輪３６とスプラインにより連結され、ベルト４３により回転輪３６を回転させ、更にスプライン軸５０が回転し、これにより伝動ギヤ５４が時計回りに回転し、ラック２５が移動ブロック２１を連動させて左方へ移動させ、掛け時計２３を壁主体から押し出し、壁の外面にかける掛け時計になり、掛け時計２３を壁主体１０の中に引っ込める時、モーター３４が逆方向へ作動すれば装置を初期位置に戻すことができる。
【００１６】
本発明の有益効果は：本発明は構造が簡単で、操作が便利であり、初期状態の時、掛け時計が壁の中に埋め込まれ、占めるスペースを減らし、掛け時計に埃がたまることを防止し、モーターが作動する時、掛け時計を壁の外部に押し出し、掛け時計が壁の外面にかけるように設置されることになり、メンテナンスと掛け時計の取り替えに便利を与え、この掛け時計は機動性が高くてもっと綺麗である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177005.tif 000003
【図２】
2020177005.tif 000004
【図３】
2020177005.tif 000005